(57)【要約】【課題】フィルタユニットの糸屑捕集性を向上しメンテナンス時の操作性を向上する。【解決手段】洗濯兼脱水槽４の内周側壁部に構成され、パルセータ７の回転により洗濯水を導入して上昇させ通過させる還流水路部１１と、還流水路部１１の装着部１７に着脱自在に設けられ、ろ過部材を内設し前カバー３２と後カバー３１で爪嵌合にて一体的に構成された糸屑捕集用のフィルタユニット１２とを備え、還流水路部１１は、装着部１７に突起状の凸リブ２０を形成すると共に、フィルタユニット１２は、装着部１７に装着時に凸リブ２０との当接を回避する凹部１９を形成した構成とすることにより、フィルタユニット１２は水位の影響を大きく受けずに糸屑を捕集することができ、その糸屑は外から見えないために清潔感があると共に、フィルタユニット１２内部の掃除をしてメンテナンスをする場合も、フィルタユニット１２の誤装着を防止し、操作性を向上することができる。【選択図】図２
2017144123.tif 000002
【特許請求の範囲】
【請求項１】
本体と、前記本体内部に防振支持された外槽と、前記外槽に回転自在に内包された洗濯兼脱水槽と、前記洗濯兼脱水槽の中央内底部に回転自在に配設され裏面に複数の放射状羽根を形成したパルセータと、前記パルセータおよび前記洗濯兼脱水槽を回転駆動するモータと、前記洗濯兼脱水槽の内周側壁部に構成され、前記パルセータの回転により洗濯水を導入して上昇させ通過させる還流水路部と、前記還流水路部の装着部に着脱自在に設けられる糸屑捕集用のフィルタユニットとを備え、前記還流水路部の前記装着部には、突起状の凸リブを形成すると共に、前記フィルタユニットには、前記装着部への装着時に前記凸リブとの当接を回避する凹部を形成した洗濯機。
【請求項２】
凸リブは、上部から下部に向かって中間部がなだらかな山高となった傾斜部を有している請求項１に記載の洗濯機。
【発明の詳細な説明】
【技術分野】
【０００１】
本発明は、洗い、すすぎ、脱水行程を行なう洗濯機に関するものである。
【背景技術】
【０００２】
従来、この種の洗濯機は、洗濯兼脱水槽内側壁に設置した循環水路を利用して洗濯液を循環し、洗濯物への糸屑付着低減のために、洗濯兼脱水槽上部に設けた糸屑フィルタにより、循環水路を循環する洗濯液から洗濯物の攪拌で発生した糸屑を捕集する構成が提案されている（例えば、特許文献１参照）。
【０００３】
図９は、特許文献１に記載された従来の洗濯機の縦断面図である。
【０００４】
図９において、循環水路カバー６６は、洗濯兼脱水槽６３の内面に複数個取着し、洗濯兼脱水槽６３との間に独立した複数の循環水路６７ａ、６７ｂを形成している。
【０００５】
また、攪拌翼６２の裏面に羽根６８を一体に設け、羽根６８の外周に形成したポンプ室６９を循環水路６７ａ、６７ｂに連通している。そして、循環水路６７ａ、６７ｂの上部に洗濯兼脱水槽６３の内部に向けて開口した開口部７０を形成し、循環水路６７ｂの上部の開口部７０には散水ノズル７１を設け、循環水路６７ａの上部の開口部７０には、袋状の糸屑フィルタ７２を設けている。
【０００６】
モータ７３は、Ｖベルトおよび減速機構７５を介して攪拌翼６２を駆動する。水位センサ７６は、水受槽６１の下部に接続されて洗濯兼脱水槽６３内の水位を検知し、その出力を制御装置７７に入力するようになっている。
【０００７】
以上の構成にて、洗い行程およびすすぎ行程では、モータ７３の回転に応じて攪拌翼６２を回転し、洗濯兼脱水槽６３内の洗濯物８３と洗濯液が攪拌される。一方、攪拌翼６２に設けた羽根６８と洗濯兼脱水槽６３との間の洗濯液は、羽根６８の回転により遠心力で洗濯兼脱水槽６３底部の外側に押し出され、循環水路６７ａ、６７ｂを通って、散水ノズル７１および糸屑フィルタ７２から洗濯兼脱水槽６３内に、モータ７３の回転に応じて間欠的に散水される。これにより、洗濯兼脱水槽６３内の洗濯物から発生した糸くずは、糸屑フィルタ７２内に順次捕集されることになる。
【先行技術文献】
【特許文献】
【０００８】
【特許文献１】特開平７−３１７８５号公報
【発明の概要】
【発明が解決しようとする課題】
【０００９】
しかしながら、前記従来の構成では、袋状の糸屑フィルタで捕集された糸屑類が外観からはっきり見える上に、糸屑類の除去を怠ると時間の経過と共にカビにより糸屑フィルタが黒ずみ、使用者に不潔感を感じさせてしまうという課題があった。
【００１０】
また、少ない量の洗濯物を低い水位で洗う場合は、上部の糸屑フィルタまで持ち上げられる洗濯液の水量が少なく、糸屑類の捕集が十分に行なえないという課題もあった。
【００１１】
本発明は、上記従来の課題を解決するもので、洗濯兼脱水槽の内側側面中間高さ部に箱型のフィルタユニットを設けて糸屑捕集を行なうとともに、そのフィルタユニットの装着
を行うメンテナンス時において、フィルタユニットの誤装着を防止し、操作性を向上させた洗濯機を提供することを目的としている。
【課題を解決するための手段】
【００１２】
前記従来の課題を解決するために、本発明の洗濯機は、本体と、前記本体内部に防振支持された外槽と、前記外槽に回転自在に内包された洗濯兼脱水槽と、前記洗濯兼脱水槽の中央内底部に回転自在に配設され裏面に複数の放射状羽根を形成したパルセータと、前記パルセータおよび前記洗濯兼脱水槽を回転駆動するモータと、前記洗濯兼脱水槽の内周側壁部に構成され、前記パルセータの回転により洗濯水を導入して上昇させ通過させる還流水路部と、前記還流水路部の装着部に着脱自在に設けられる糸屑捕集用のフィルタユニットとを備え、前記還流水路部の前記装着部には、突起状の凸リブを形成すると共に、前記フィルタユニットには、前記装着部への装着時に前記凸リブとの当接を回避する凹部を形成する構成としたものである。
【００１３】
これにより、フィルタユニットは水位の影響を大きく受けずに糸屑を捕集することができ、その糸屑は外から見えないために清潔感があると共に、フィルタユニット内部の掃除をしてメンテナンスをする場合も、フィルタユニットの誤装着を防止し、操作性を向上することができる。
【発明の効果】
【００１４】
本発明の洗濯機は、捕集した糸屑が見えないことによる清潔感向上と共に、フィルタユニットの誤装着を防止し、操作性を向上することができる。
【図面の簡単な説明】
【００１５】
【図１】本発明の実施の形態１における洗濯機の縦断面図
【図２】同洗濯機の洗濯兼脱水槽内部を示す一部を破断した斜視図
【図３】同洗濯機のフィルタユニット装着部の分解斜視図
【図４】同洗濯機のフィルタユニット装着部の縦断面図
【図５】同洗濯機のフィルタユニットの裏面から見た斜視図
【図６】同洗濯機のフィルタユニット装着部のリブの拡大図
【図７】同洗濯機のフィルタユニットの誤装着を示す斜視図
【図８】同洗濯機のフィルタユニットの誤装着を示す斜視図
【図９】従来の洗濯機の縦断面図
【発明を実施するための形態】
【００１６】
第１の発明は、本体と、前記本体内部に防振支持された外槽と、前記外槽に回転自在に内包された洗濯兼脱水槽と、前記洗濯兼脱水槽の中央内底部に回転自在に配設され裏面に複数の放射状羽根を形成したパルセータと、前記パルセータおよび前記洗濯兼脱水槽を回転駆動するモータと、前記洗濯兼脱水槽の内周側壁部に構成され、前記パルセータの回転により洗濯水を導入して上昇させ通過させる還流水路部と、前記還流水路部の装着部に着脱自在に設けられる糸屑捕集用のフィルタユニットとを備え、前記還流水路部の前記装着部には、突起状の凸リブを形成すると共に、前記フィルタユニットには、前記装着部への装着時に前記凸リブとの当接を回避する凹部を形成した構成とするものである。
【００１７】
これにより、フィルタユニットは水位の影響を大きく受けずに糸屑を捕集することができ、その糸屑は外から見えないために清潔感があると共に、フィルタユニット内部の掃除をしてメンテナンスをする場合も、フィルタユニットの誤装着を防止し、操作性を向上することができる。
【００１８】
第２の発明は、特に、第１の発明の凸リブは、上部から下部に向かって中間部がなだら
かな山高となった傾斜部を有する構成とすることにより、フィルタユニット装着時の引掛り防止となり、操作性を向上することができる。
【００１９】
以下、本発明の実施の形態について、図面を参照しながら説明する。なお、この実施の形態によって本発明が限定されるものではない。
【００２０】
（実施の形態１）
図１は、本発明の実施の形態における洗濯機の縦断面図、図２は、同洗濯機の洗濯兼脱水槽内部を示す一部を破断した斜視図である。
【００２１】
図１及び図２において、本体１は、サスペンション２により外槽３を内部に懸垂防振支持しており、外槽３内に洗濯兼脱水槽４を回転自在に支持している。
【００２２】
洗濯兼脱水槽４は、側壁に多数の脱水孔５を有するとともに、内周の上部に振動低減用の流体バランサ６を有している。洗濯兼脱水槽４の中央内底部には、衣類攪拌用のパルセータ７を配設しており、パルセータ７は、外周を傾斜面としたナベ型の形状に形成し、裏面に複数の放射状羽根４２を形成している。
【００２３】
伝達機構部８は、洗濯兼脱水槽４ならびにパルセータ７への動力伝達手段として設けられており、内部に洗濯時の減速ギア（図示せず）および洗濯・脱水軸の切り換えクラッチ（図示せず）と、脱水時に洗濯兼脱水槽４の回転を停止するためのブレーキ（図示せず）を内蔵している。
【００２４】
モータ９は、外槽３の外底部に取り付けられており、ベルト１０を介して動力を伝達機構部８へと伝達し、パルセータ７あるいは洗濯兼脱水槽４を回転させる。
【００２５】
洗濯兼脱水槽４の内周側壁部に、還流水路部１１が構成されており、還流水路部１１の下端は、パルセータ７下部空間部の側方と連通しており、還流水路部１１に糸屑捕集用のフィルタユニット１２が着脱自在に取り付けられている。これにより、パルセータ７が回転すると、パルセータ７裏面の放射状羽根４２によるポンプ作用にて洗濯水が還流水路部１１内に持ち上げられ、フィルタユニット１２内にて糸屑が捕集され、洗濯水はフィルタユニット１２前面側の開口部４１より還流水１３として洗濯兼脱水槽４内へ還流する。
【００２６】
図３は、本発明の実施の形態における洗濯機のフィルタユニット装着部の分解斜視図、図４は、同洗濯機のフィルタユニット装着部の縦断面図、図５は、同洗濯機のフィルタユニットの裏面から見た斜視図、図６は、同洗濯機のフィルタユニット装着部のリブの拡大図であり、図７及び図８は、同洗濯機のフィルタユニットの誤装着を示す斜視図である。
【００２７】
図３、図４、図５、図６において、フィルタユニット１２は、略長方体の箱状に形成され、内部に設けたろ過部材（図示せず）により洗濯水内の糸屑を捕集するようになっている。
【００２８】
フィルタユニット１２は、還流水１３を吐出する開口部４１を設けた前カバー３２と後カバー３１からなり、前カバー３２は、ろ過部材を有してフィルタ部品としての作用を担い、後カバー３１は、還流水路部１１と密接する外郭面を構成する。
【００２９】
そして、フィルタユニット１２は、前カバー３２下部に略Ｌ字状に延設された固定用脚部１４を、還流水路部１１の洗濯水の流通経路と連通する水路開口部１６に嵌合し、前カバー３２上部に形成された湾曲部を有してなる爪部１５を還流水路部１１の掛り部１８に係合することにより、還流水路部１１に凹部状に形成された装着部１７に対して着脱自在
に装着することができるようになっている。
【００３０】
ここで、固定用脚部１４が嵌合する水路開口部１６の径方向の幅寸法は、フィルタユニット１２の径方向の幅より小さいために、フィルタユニット１２を表裏逆取り付しようとした場合、図７に示すように、嵌合しようとして差し込んでも、それ以上差し込むことはできず、きちんと嵌合することはできないような、逆装着防止構成となっている。
【００３１】
また、フィルタユニット１２の後カバー３１は、還流水路部１１の装着部１７側に凹部１９を複数形成しており、フィルタユニット１２装着時には、装着部１７に形成した凸リブ２０との当接を凹部１９で回避するようになっている。なお、凸リブ２０は、上部から下部に向かってなだらかな中間部が山高となった傾斜部４０を有している。
【００３２】
凹部１９と凸リブ２０の構成により、フィルタユニット１２の逆装着に気付かず、無理やり装着しようとした場合でも、図８に示すように、前カバー３２の前面側が凸リブ２０に当接し、装着することができないという逆装着防止構成となっている。
【００３３】
また、凸リブ２０には、上部から下部に向かって中間部がなだらかな山高となった傾斜部４０を設けているので、フィルタユニット１２を正しく装着する時に、フィルタユニット１２の後カバー３１が引っ掛かることもなく、スムーズに装着することができる。
【００３４】
以上のように、本実施の形態においては、洗濯兼脱水槽４の内周側壁部に構成され、パルセータ７の回転により洗濯水を導入して上昇させ通過させる還流水路部１１と、還流水路部１１の装着部１７に着脱自在に設けられ、ろ過部材を内設し前カバー３２と後カバー３１で爪嵌合にて一体的に構成された糸屑捕集用のフィルタユニット１２とを備え、還流水路部１１は、装着部１７に突起状の凸リブ２０を形成すると共に、フィルタユニット１２は、装着部１７に装着時に凸リブ２０との当接を回避する凹部１９を形成した構成とすることにより、フィルタユニット１２は水位の影響を大きく受けずに糸屑を捕集することができ、その糸屑は外から見えないために清潔感があると共に、フィルタユニット１２内部の掃除をしてメンテナンスをする場合も、フィルタユニット１２の誤装着を防止し、操作性を向上することができる。
【００３５】
また、フィルタユニット１２の凸リブは、上部から下部に向かって中間部がなだらかな山高となった傾斜部４０を有する構成とすることにより、フィルタユニット１２装着時の引掛り防止となり、操作性を向上することができる。
【産業上の利用可能性】
【００３６】
以上のように、本発明にかかる洗濯機は、糸屑捕集用のフィルタユニットの誤装着を防止し、操作性を向上することができるため、フィルタユニットによる糸屑捕集機能を有する他の洗濯機の用途に適用できる。
【符号の説明】
【００３７】
１  本体
２  サスペンション
３  外槽
４  洗濯兼脱水槽
７  パルセータ
９  モータ
１１  還流水路部
１２  フィルタユニット
１７  装着部
１９  凹部
２０  凸リブ
３１  後カバー
３２  前カバー
４０  傾斜部
４２  放射状羽根
【図１】
2017144123.tif 000003
【図２】
2017144123.tif 000004
【図３】
2017144123.tif 000005
【図４】
2017144123.tif 000006
【図５】
2017144123.tif 000007
【図６】
2017144123.tif 000008
【図７】
2017144123.tif 000009
【図８】
2017144123.tif 000010
【図９】
2017144123.tif 000011